(57)【要約】【課題】無線暗号フィルシステムはフィル装置とホストポーションを備える。【解決手段】フィル装置は、１つまたはそれ以上の暗号キーと関連データをメモリに記憶する。ホストポーションは、暗号キーを利用する安全操作を実行する安全な無線のようなホストプロセッサに結合される。フィル装置とホストポーションはた外に無線により通信する。無線通信は、光学的に、磁気的に、誘導的に、容量的に、超音波により、またはバーコードにより達成することが可能である。一実施形態においては、フィル装置は針形状であり、無線通信を達成するためにホストポーションに挿入される（または近接して位置づけられる）。他の実施形態においては、暗号フィル装置はカード形状であり、無線通信を達成するためにホストポーションのスロットに挿入される（または、さっと走らせる）。【選択図】図２
2004166281.tif 000002
【特許請求の範囲】
【請求項１】
少なくとも１つの暗号キーから構成されるフィル装置；
ホストプロセッサに通信可能であるように結合されるホストポーション；並びに
前記フィル装置と前記ホストポーションとの間の通信を提供するための無線通信手段；
から構成されることを特徴とする暗号フィルシステム。
【請求項２】
請求項１に記載の暗号フィルシステムであって、前記無線通信手段は光通信手段から構成され：
前記フィル装置は前記ホストポーションと光学的に通信するために第１光送信部／受信部から構成され；並びに
前記ホストポーションは前記フィル装置と光学的に通信するために第２光送信部／受信部から構成される；
ことを特徴とする暗号フィルシステム。
【請求項３】
請求項１に記載の暗号フィルシステムであって、前記無線通信手段は容量通信手段から構成され：
前記フィル装置は前記ホストポーションと容量的に通信するために第１容量送信部／受信部から構成され；並びに
前記ホストポーションは前記フィル装置と容量的に通信するために第２容量送信部／受信部から構成される；
ことを特徴とする暗号フィルシステム。
【請求項４】
請求項１に記載の暗号フィルシステムであって、前記無線通信手段は誘導通信手段から構成され：
前記フィル装置は前記ホストポーションと誘導的に通信するために第１誘導送信部／受信部から構成され；並びに
前記ホストポーションは前記フィル装置と誘導的に通信するために第２誘導送信部／受信部から構成される；
ことを特徴とする暗号フィルシステム。
【請求項５】
請求項１に記載の暗号フィルシステムであって、前記無線通信手段は磁気通信手段から構成され：
前記フィル装置は前記ホストポーションと磁気的に通信するために第１磁気送信部／受信部から構成され；並びに
前記ホストポーションは前記フィル装置と磁気により通信するために第２磁気送信部／受信部から構成される；
ことを特徴とする暗号フィルシステム。
【請求項６】
請求項１に記載の暗号フィルシステムであって、前記無線通信手段は超音波通信手段から構成され：
前記フィル装置は前記ホストポーションと超音波により通信するために第１超音波送信部／受信部から構成され；並びに
前記ホストポーションは前記フィル装置と超音波により通信するために第２超音波送信部／受信部から構成される；
ことを特徴とする暗号フィルシステム。
【請求項７】
請求項１に記載の暗号フィルシステムであって、前記無線通信手段はバーコード通信手段から構成され：
前記フィル装置は前記ホストポーション無線通信するためにバーコード送信部から構成され；並びに
前記ホストポーションは前記フィル装置と無線通信するためにバーコード受信部から構成される；
ことを特徴とする暗号フィルシステム。
【請求項８】
暗号フィル装置からホストプロセッサに暗号キーを無線で提供するための方法であって：
ホストポーションに近接して前記フィル装置を位置付けする段階；
前記ホストポーションを前記ホストプロセッサに通信可能であるように接続する段階；
前記フィル装置と前記ホストポーションとの間の無線通信を開始するために前記フィル装置と前記ホストプロセッサのうち少なくとも１つを動作させる段階；並びに
前記ホストプロセッサに前記暗号キーを無線により提供する段階；
から構成されることを特徴とする方法。
【請求項９】
請求項８に記載の方法であって：
ロードプロセッサに近接して前記フィル装置を位置付けする段階；
前記ロードプロセッサから前記キーフィル装置に前記暗号キーを無線により提供する段階；並びに
前記フィル装置に前記暗号キーを記憶する段階；
から構成される、ことを特徴とする方法。
【請求項１０】
暗号キーを通信するための無線フィル装置であって：
前記無線フィル装置は前記暗号キーを受信し、メモリに前記暗号キーを保ち；並びに
前記無線フィル装置はホストポーションと無線により通信する；
ことを特徴とする方法。
【発明の詳細な説明】
【技術分野】
【０００１】
本発明は、一般に、安全通信システムに関し、さらに詳細には、安全無線装置のような暗号機能を備える装置に暗号キーをロードすること関する。
【背景技術】
【０００２】
通信システムが複雑な通信サービス及び能力を備えて益々高機能化するにつれ、情報の安全性を保つことが重要になってきている。通信市場における傾向は、商業市場および軍事市場両方のための安全性の必要性についての特徴が明確になってきた。情報の安全性を保つ唯一の方法は送信に先立って暗号化し、受信した情報を復号化することである。代表的には、暗号キー（送信部と受信部の両方に共通）は情報を暗号化し、復号化するために用いられる。しかしながら、軍事システムのような多くのシステムにおいて、暗号キーは、送信部／受信部が無許可のアクセスの影響を受け易いイベントにおける安全性を確保することが必要とされるまで、送信部／受信部から分離されたままにされている。これらのシステムにおいて、暗号キーはフィル装置を経由して送信部／受信部にロードされる。送信部／受信部が電源をオフにされるとき、システムのデザインに応じて、暗号キーは消される。
【０００３】
現在のフィル装置は多くの不都合を被っている。代表的なフィル装置は体積が大きく、目につき易く、戦術的な秘密環境に特に適合していない。代表的なフィル装置の大きさは、およそタバコの箱が数個分の大きさからラップトップコンピュータ（またはもっと大きい）までの範囲内にある。軍事用に用いられているフィル装置は等業者には周知ではない。例としては、ＫＹＫ−１３、ＡＮ／ＣＹＺ−１０、ＫＹＸ−１５およびＫＯＩ−１８がある。図１は、データ送信装置として知られているＡＮ／ＣＹＺ−１０（先行技術）を示している。
【０００４】
大きい体積を占めるフィル装置は個人が運搬するのは困難である。このことは、機動演習で軍人がフィル装置を運ぶ必要がある軍事活動のような状況下では、特に不都合である。また、軍人は、秘密行動中に民間空港を通るような、秘密を維持しなければならない状況下にある場合、大きい体積を占めるフィル装置は容易に空港の保安要員の目に留まり、任務を脅かされるようにしてなされる質問を受けることとなる。
【０００５】
現在のフィル装置は、バヨネット式ロックコネクタおよびスレッデドコネクタのような電気コネクタにより送信部／受信部に機械的に接続されることが必要である。野外でまたはほとんど操作する時間がないときに、送信部／受信部にフィル装置を接続すること及び接続を外すことは、時間が掛かり過ぎ、恐らく任務を危うくすることになる。また、これらのタイプのコネクタは、腐食や接続操作を妨害する原因となる気象状況に置かれ易い（例えば、スレッドにおける泥）。さらに、多くの軍事活動の秘密維持の性質により、フィル装置を送信部／受信部と接続するケーブルは、例えば暗号キーのような送信される情報の未承認のディスクロージャを防止するためにシールドされなければならない。シールドされたケーブル及びコネクタは、重く、体積が大きく、硬く、感嘆に接続したり接続を外したりすることが困難である。また、現在のフィル装置は、スイッチ、バッテリ、コネクタ等の機械的な必要性のために、ハーメチックシールされることはない。このようなシールの不足は、過酷な環境にある内部エレクトロニクスの信頼性を危うくする。
【０００６】
改良された暗号フィルシステムが要望されている。
【発明の開示】
【課題を解決するための手段】
【０００７】
本発明の一実施形態において、本発明にしたがった暗号フィルシステムは、１つまたはそれ以上の暗号キーを記憶するフィル装置、ホストプロセッサに接続されるホストポーションおよびフィル装置とホストポーションとの間の通信を提供するための無線通信手段を備えている。
【０００８】
本発明の他の実施形態においては、暗号フィルシステムは、フィル装置とホストポーションとを備え、ホストポーションはホストプロセッサに接続され、暗号フィル装置からホストプロセッサに暗号キーを無線で供給するための方法は、ホストポーションの近くにフィル装置を位置付ける段階、フィル装置とホストポーションとの間の無線通信を開始するためにフィル装置とホストポーションのうち少なくとも１つを動作させる段階、並びにホストプロセッサに暗号キーを無線で提供する段階を含む。
【発明を実施するための最良の形態】
【０００９】
ここで、図２を参照するに、無線暗号フィル装置２２、ホストポーション２４および無線通信手段２８から構成される無線暗号フィルシステム２０の機能ブロック図を示している。無線通信手段２８はそれらのポーション間で無線信号２９を伝達する。フィル装置２２は、メモリ２７における１つまたはそれ以上の暗号キーを受信し、記憶する。ホストポーション２４はホストプロセッサ２６に通信可能であるように結合されている。ホストプロセッサ２６は、たとえば、暗号キーを利用する安全操作を実行する安全な無線（暗号機能を含む何らかの他の装置）とすることが可能であり、または、ホストプロセッサ２６は無線フィル装置２２に暗号キーをロードするためのロードプロセッサとすることが可能である。以下にさらに詳細に説明するように、フィル装置２２とホストポーション２４は、無線信号２９、電磁放射（例えば、超音波、ＲＦ、高周波、ＶＨＦ、超高周波、ＵＨＦ，マイクロ波）、バーコード、またはそれらの組み合わせにより、光学的に、機械的に、誘導的に、容量的に、互いに無線により通信することができる。種々の実施形態において、暗号フィル装置２２は針形状であり、無線通信を実行するためにホストポーション２４に挿入される（または、近接して位置付けられる）（図３、４、５および６参照）。他の実施形態において、暗号フィル装置２２はクレジットカードまたはスマートカードのようなカード形状であり、無線通信を実行するためにホストポーション上の（または、近接して位置付けられる）スロットに挿入される（通される）（図７および８参照）。
【００１０】
再び図２を参照するに、メモリ２７は暗号キーを受信し、記憶する。暗号キーは、メモリ２７に永久的に保存されることが可能であり、または暗号キーはメモリ２７に書き込まれ且つ書き換えられることが可能である。一実施形態において、暗号キーは、必要に応じて、メモリ２７にロードされ、それ故、特定使用のための所望に応じて暗号キーは変更されることが可能である。メモリ２７に暗号キーをロードするために。ホストプロセッサ２６はロードプロセッサとして機能する。ロードプロセッサは、無線フィル装置２２に所望の暗号キーを提供するために、たとえば、一般目的のコンピュータ、ラップトップコンピュータ、デスクトップコンピュータ、特別目的コンピュータまたはそれらの組み合わせのような、任意の適切なプロセッサとすることが可能である。ロードプロセッサはホストポーション２４に暗号キーを提供する。ホストポーション２４とロードプロセッサは、超音波、バーコードまたはそれらの組み合わせにより、たとえば、機械的に、電気的に、電磁的に、光学的に、任意の適切な手段と通信可能であるように結合されることが可能である。ホストポーション２４は、無線通信手段２８によりフィル装置２２に暗号キーを提供する。フィル装置２２は暗号キーを受信し、メモリ２７に暗号キーを記憶する。
【００１１】
一旦、メモリ２７に暗号キーが入ると、無線フィル装置２２は、暗号キーを利用するホストプロセッサ２６に暗号キーを提供するために利用されることが可能である。このような状態において、ホストプロセッサは、暗号キーを受信するために、たとえば、一般目的のコンピュータ、ラップトップコンピュータ、デスクトップコンピュータ、特別目的コンピュータまたはそれらの組み合わせのような、任意の適切なプロセッサとすることが可能である。無線フィル装置は、たとえば、針（たとえば、ペン、鉛筆、ペンライト）またはカード（たとえば、クレジットカードまたはスマートカード）のような任意の適切な形状および大きさにすることが可能である。
【００１２】
図３は、針形状のフィル装置２２、ホストポーション２４および光通信手段２８−ｏｐｔから構成される無線暗号フィルシステム３０の実施形態を示している。光通信手段２８−ｏｐｔは、フィル装置送信部／受信部３４とホストポーション送信部／受信部３６とから構成される。このような、小さく、軽量で、容易に接続される無線フィル装置は、種々の軍事的シナリオにおいて特に有利である。たとえば、軍の無電技師は、ロードプロセッサ２６が備えられる安全領域に無線フィル装置２２を得ることが可能である。無線技師は、無線通信手段２８−ｏｐｔによりフィル装置２２のメモリ２７に特定暗号キーを無線でダウンロードするように、ホストポーション２４に通信可能であるように結合される無線フィル装置２２をロードプロセッサ２６の近くに位置付ける。一旦、暗号キーがメモリ２７に記憶されると、無線技師は無線フィル装置２２を彼女のポケットに入れることが可能である。無線技師は、次いで、彼女の任務を実行するために目的地に飛行機で飛ぶように、空港に行くであろう。無線フィル装置２２は針形状であるため、彼女の任務について無線技師に質問することが保安要員にほのめかされることはない。彼女の任務について、野外で、安全な通信を実行するために彼女の安全な無線を用いることに先立ち、彼女はポケットから無線フィル装置２２を取り出し、ホストポーション２４に通信可能であるように結合するラジオ（ホストプロセッサ２６）の近くにそれを置き、無線通信手段２８−ｏｐｔにより安全な無線２６に暗号キーを通信する。
【００１３】
再び、図３を参照するに、各々の送信部／受信部３４，３６は、情報（たとえば、暗号キーに関連する情報）を送受信するための能力を有している。一実施形態において、フィル装置送信部／受信部３４は光送信素子３４Ｔと受信素子３４Ｒから構成され、ホストポーション送信部／受信部３６は光送信素子３６Ｔと受信素子３６Ｒから構成される。光送信素子３４Ｔと３６Ｔは、たとえば、レーザ、レーザダイオード、発光ダイオード（ＬＥＤ）、可視光、赤外光またはそれらの組み合わせのような任意の適切な光送信素子から構成されることが可能である。光受信素子３４Ｒと３６Ｒは、たとえば、光センサ、光検出器またはそれらの組み合わせから構成されることが可能である。
【００１４】
図３に示す実施形態において、ホストポーション２４はシュラウド３８から構成される。ホストポーションのシュラウド３８とフィル装置２２の送信部／受信部３４は、フィル装置２２の送信部／受信部３４がシュラウド３８に挿入されることが可能である。シュラウド３８への送信部／受信部３４の挿入により、フィル装置２２とホストポーション２４との間の通信が無許可のアクセス／モニタリングから保護されるようになっている。シュラウド３８は光学的である。シュラウド３８は、無許可のアクセス／モニタリングが重要ではない場合、または環境の状態がシュラウドに対して実際的でない場合、除外されることが可能である。一実施形態においては、シュラウド３８は、光エネルギーの不慮の放射を防止するために不透明である。さらに、送信部／受信部３４と送信部／受信部３６は、カバーされ、またはシール（たとえば、ハーメチックシール）されることが可能である。送信部／受信部３４と送信部／受信部３６をシールすることは、送信装置３４Ｔ、３６Ｔと受信装置３４Ｒ、３４Ｒを、天候、破壊物の破片、湿気などから保護する。一実施形態において、フィル装置送信部／受信部３４は、透明な（または、半透明な）カバーに３９よりシールされ、ホストポーション送信部／受信部３６は、シュラウド３８内に位置付けられた透明の（または、半透明の）窓３７によりシールされている。
【００１５】
図４は、針形状フィル装置２２、ホストポーション２４及び誘導通信手段２８−ｉｎｄから構成される本発明にしたがった無線暗号フィルシステム４０の実施形態の模式図を示している。各々の送信部／受信部４４、４６は、情報（たとえば、暗号キーに関する情報）を送信および受信する能力を備えている。一実施形態において、フィル装置送信部／受信部４４は、誘導（たとえば、磁気誘導）により情報を送信および受信することが可能である誘導送信／受信素子４４Ｒ／Ｔから構成される。ホストポーション送信部／受信部４６は、誘導（たとえば、磁気誘導）により情報を送信及び受信することが可能である誘導送信／受信素子４６Ｒ／Ｔから構成される。誘導送信／受信素子４４Ｒ／Ｔ、４６Ｒ／Ｔは、たとえば、コイル、誘導子、変圧器、電磁エネルギーまたはそれらの組み合わせのような電磁エネルギーを誘導的に送信および受信することが可能である、いずれかの適切な装置から構成されることが可能である。
【００１６】
図４に示される実施形態においては、ホストポーション２４はシュラウド４８から構成される。フィル装置のホストポーション２４および送信部／受信部４４のシュラウド４８は、送信部／受信部４４がシュラウド４８に挿入されることが可能であるように構成されている。送信部／受信部４４をシュラウド  ４８に挿入することにより、フィル装置２２とホストポーション２４との間の通信が無許可のアクセス／モニタリングから保護されることが可能である。一実施形態において、シュラウド４８は、電磁エネルギーの不慮の放射を保護するためにシールドされている。さらに、送信部／受信部４４と送信部／受信部４６をシールすることは、送信装置４４Ｔ、４６Ｔと受信装置４４Ｒ、４４Ｒを、天候、破壊物の破片、湿気などから保護する。一実施形態において、フィル装置送信部／受信部４４は、透明な（または、半透明な）カバー４９よりシールされ、ホストポーション送信部／受信部４６は、シュラウド４８内に位置付けられた透明の（または、半透明の）窓４７によりシールされている。カバー４９および窓４７は電磁エネルギーの透過を可能にしている。
【００１７】
図５は、針形状フィル装置２２、ホストポーション２４及び誘導通信手段２８−ｃａｐから構成される本発明にしたがった無線暗号フィルシステム５０の実施形態の模式図を示している。各々の送信部／受信部５４、５６は、情報（たとえば、暗号キーに関する情報）を送信および受信する能力を備えている。一実施形態において、フィル装置送信部／受信部５４は、容量（たとえば、電荷）により情報を送信および受信することが可能である容量送信／受信素子５４Ｒ／Ｔから構成される。ホストポーション送信部／受信部５６は、容量（たとえば、電荷）により情報を送信及び受信することが可能である誘導送信／受信素子５６Ｒ／Ｔから構成される。容量送信／受信素子５４Ｒ／Ｔ、５６Ｒ／Ｔは、たとえば、コンデンサのような電磁エネルギーを容量的に送信および受信することが可能である、いずれかの適切な装置から構成されることが可能である。
【００１８】
図５に示すように、ホストポーション２４はシュラウド５８から構成される。一実施形態において、ホストポーション２４のシュラウド５８とフィル装置２２の送信部／受信部５４は、送信部／受信部５４がシュラウド５８に挿入されるように構成されている。他の実施形態においては、シュラウドは、フィル装置送信部／受信部５４Ｔ／Ｒがホストポーション送信部／受信部５６Ｔ／Ｒのための開口部に挿入されるように、ホストポーション送信部／受信部５６Ｔ／Ｒのための開口部を有するように構成されている。さらに他の実施形態においては、送信部／受信部５４はシュラウド５８に挿入され、フィル装置送信／受信素子５４Ｔ／Ｒはホストポーション送信部／受信部５６Ｔ／Ｒのための開口部に挿入されている。送信部／受信部５４をシュラウド５８に挿入すること、フィル装置送信／受信素子５４Ｔ／Ｒをホストポーション送信部／受信部５６Ｔ／Ｒのための開口部に挿入すること、またはそれらの組み合わせは、フィル装置２２とホストポーション２４との間の通信が無許可のアクセス／モニタリングから保護されることを可能にする。一実施形態において、シュラウド５８は、不慮の電磁エネルギーの放射を防止するためにシールドされている。さらに、送信／受信素子５４Ｔ／Ｒとホストポーション送信部／受信部５６Ｔ／Ｒはカバーまたはシール（たとえば、ハーメチックシール）されることが可能である。送信／受信素子５４Ｔ／Ｒとホストポーション送信部／受信部５６Ｔ／Ｒをシールすることにより、送信／受信素子５４Ｔ／Ｒ、５６Ｔ／Ｒを天候、破壊物の破片、湿気などから保護する。
【００１９】
図６は、針形状フィル装置２２、ホストポーション２４及び超音波通信手段２８−ｒｆから構成される本発明にしたがった無線暗号フィルシステム５０の実施形態の模式図を示している。超音波通信手段２８−ｒｆは超音波において動作するものとして説明されるが、他の周波数は、ＵＨＦ、ＶＨＦおよびマイクロウェーブのような許容可能で適切である周波数である。各々の送信部／受信部６４、６６は、情報（たとえば、暗号キーに関連する情報）を受信し且つ送信する能力を有している。一実施形態において、フィル装置送信部／受信部６４は、超音波により情報を送信および受信することが可能である超音波送信／受信素子６４Ｒ／Ｔから構成される。ホストポーション送信部／受信部６６は、超音波により情報を送信及び受信することが可能である超音波送信／受信素子６６Ｒ／Ｔから構成される。超音波送信／受信素子６４Ｒ／Ｔ、６６Ｒ／Ｔは、たとえば、アンテナのような超音波信号を送信および受信することが可能である、いずれかの適切な装置から構成されることが可能である。
【００２０】
図７は、カード形状フィル装置２２、ホストポーション２４及び磁気通信手段２８−ｍａｇから構成される本発明にしたがった無線暗号フィルシステム７０の実施形態の模式図を示している。各々の送信部／受信部７４、７６は、情報（たとえば、暗号キーに関する情報）を送信および受信する能力を備えている。一実施形態において、フィル装置送信部／受信部７４は、磁気的に情報を送受信することが可能であるカード２２上の磁気ストライプのような磁性容量送信／受信素子７４Ｒ／Ｔから構成される。送信部／受信部７４のストライプは、通信を実行するために、矢印７２により示されるような送信部／受信部７６のスロットに挿入されることが可能であり、送信部／受信部７４のストライプは、矢印７８により示されるように送信部／受信部７６のスロットに通されることが可能であり、またはそれらを組み合わせることが可能である。送信部／受信部７４と送信部／受信部７６は、磁性のおよび／または光学的なカード読み取り部（たとえば、銀行または安全ステーションのカード読み取り部）のような、電磁エネルギーを送信および受信することが可能である任意の適切な装置から構成されることが可能である。
【００２１】
送信部／受信部７６のスロットに送信部／受信部７４を挿入し／さっと走らせることにより、フィル装置２２とホストポーション２４との間の通信が、通信を実行するために必要とされる低レベルの磁気（または、光）エネルギーであることにより無許可のアクセス／モニタリングから保護されることが可能になる。さらに、送信／受信素子７４Ｔ／Ｒとホストポーション送信部／受信部７６Ｔ／Ｒはカバーまたはシール（たとえば、ハーメチックシール）されることが可能である。送信／受信素子７４Ｔ／Ｒとホストポーション送信部／受信部７６Ｔ／Ｒをシールすることにより、送信／受信素子７４Ｔ／Ｒ、７６Ｔ／Ｒを天候、破壊物の破片、湿気などから保護する。
【００２２】
図８は、カード形状フィル装置２２、ホストポーション２４及びバーコード通信手段２８−ｂｃから構成される本発明にしたがった無線暗号フィルシステム８０の実施形態の模式図を示している。各々の送信部８４と受信部８６は、情報（たとえば、暗号キーに関する情報）をそれぞれ送信および受信する能力を備えている。バーコード通信手段２８−ｂｃは、無線信号２９を、光学的に、磁気的にまたはそれらの組み合わせにより伝達することが可能である。たとえば、送信部８４は、光学的なバーコード読み取り部８６により読み取られる視認性バーコードから構成され、送信部８４は磁気的なバーコード読み取り部８６により読み取られる磁気的バーコードから構成され、またはそれらの組み合わせから構成される。一実施形態において、フィル装置送信部８４は、バーコードにより情報を送信することが可能であるカード２２上に印刷された一連のラインのような、バーコード送信素子から構成される。ホストポーション受信部８６は、カード２２上のバーコードラインを読み取るように構成されたスロットのような受信素子から構成される。送信部８４のバーコードラインは、通信を実行するために、矢印８２により示されるように受信部８６のスロットに挿入されることが可能であり、送信部８４のバーコードラインは、矢印８８により示されるように受信部８６のスロットにさっと走らせることが可能であり、またはそれらを組み合わせることが可能である。受信部８６は、バーコードを読み取ることが可能である任意の適切な素子（たとえば、銀行または安全ステーションにおけるカード読み取り器）から構成されることが可能である。
【００２３】
受信部８６のスロットに送信部８４を挿入し／さっと走らせることにより、フィル装置２２とホストポーション２４との間の通信が、通信を実行するために必要とされる低レベルのエネルギーであることにより無許可のアクセス／モニタリングから保護されることが可能になる。さらに、送信素子８４と受信素子８６はカバーまたはシール（たとえば、ハーメチックシール）されることが可能である。送信素子８４と受信素子８６をシールすることにより、送信素子８４と受信素子８６を天候、破壊物の破片、湿気などから保護する。
【００２４】
さらに、ここで説明した各々の実施形態は、機能をロードし且つ実行する間に、ホストから結合される無線により素子に供給される電力を用いて、ハーメチックシールされたパッケージにおいて施される。
【００２５】
図９は、本発明の実施形態にしたがって、ホストプロセッサに暗号フィル装置から暗号キーを無線により提供するためのプロセスのフロー図を示している。段階９０においては、フィル装置（たとえば、フィル装置２２）は、暗号フィル装置に暗号キーをダウンロードするためにロードプロセッサ（たとえば、ロードプロセッサとして機能するホストプロセッサ２６）に近接して位置付けられる。暗号フィルシステムのホストポーションは、ロードプロセッサ（たとえば、ホストプロセッサ２６に結合されるホストポーション２４）に通信可能であるように結合される。暗号キーは、段階９２において暗号フィル装置に無線によりダウンロードされる。暗号キーは、上記のように、任意の適切な無線通信手段によりダウンロードされることが可能である。無線通信を実行するために必要とされるホストプロセッサに暗号フィル装置を近接させることは、無線通信の（たとえば、超音波電磁放射、ＵＨＦ電磁放射、ＶＨＦ電磁放射、マイクロウェーブ電磁放射、バーコード、赤外線電磁放射による光学的、誘導的、容量的、磁気的）特性と送信／受信それぞれの電力により決定される。暗号キーはまた、段階９２において、暗号フィル装置のメモリ（たとえば、メモリ２７）に記憶される。段階９４において、暗号フィル装置のフィル装置は、ホストプロセッサに暗号キーを提供するためのホストプロセッサ（たとえば、安全な無線）に近接して配置される。暗号フィル装置、ホストプロセッサまたはそれら両方は、段階９６において動作される。動作されることには、暗号キーを無線で通信するためにそれぞれの構成要素（たとえば、暗号フィル装置および／またはホストプロセッサ）を調整することが含まれる。動作させることは、暗号フィル装置におけるスイッチ（たとえば、針形状フィル装置のポケットクリップポーション）、ホストプロセッサにおけるスイッチ、またはそれらの組み合わせのような、任意の適切な手段により実行されることが可能である。暗号キーを通信するためのフィル装置とホストプロセッサとの間の無線通信は段階９８において実行される。このような無線通信は、上記のような任意の適切な無線通信手段により実行されることが可能である。一旦、暗号キーがホストプロセッサに提供されると、暗号フィル装置とホストプロセッサとの間の通信は段階９９において完了する。これは、暗号フィル装置の動作を停止することにより、ホストプロセッサの動作を停止することにより、暗号フィル装置とホストプロセッサの両方の動作を停止することにより、または、ホストプロセッサの近傍から暗号フィル装置を単に取り除くことにより、またはそれらの組み合わせにより、達成することが可能である。一実施形態においては、音声信号および／または視覚信号のような信号が提供され、そのような信号は、暗号キーがホストプロセッサに提供され、無線通信が完了することを示す。
【００２６】
以上、特定の実施形態に関連して図面を参照しながら詳述したが、それでもなお、ここで説明した無線暗号フィル装置は、それらの実施形態に限定されることを意図するものではない。正しくは、本発明の主旨から逸脱することなく、本発明の請求項の範囲内で種々の変更が詳細に実施されることが可能である。たとえば、通信手段はまた、音声通信手段、超音波通信手段、機械通信手段またはそれらの組み合わせを含むことが可能である。
【図面の簡単な説明】
【００２７】
【図１】（先行技術）現在のデータ転送装置、すなわち指定されたＡＮ／ＣＹＺ−１０を示す図である。
【図２】本発明にしたがった無線暗号フィルシステムの機能ブロック図である。
【図３】本発明の実施形態にしたがって、針形状の無線暗号フィル装置と光通信手段から構成される無線暗号フィルシステムを示す図である。
【図４】本発明の実施形態にしたがって、針形状の無線暗号フィル装置と誘導通信手段から構成される無線暗号フィルシステムを示す図である。
【図５】本発明の実施形態にしたがって、針形状の無線暗号フィル装置と容量通信手段から構成される無線暗号フィルシステムを示す図である。
【図６】本発明の実施形態にしたがって、針形状の無線暗号フィル装置と超音波通信手段から構成される無線暗号フィルシステムを示す図である。
【図７】本発明の実施形態にしたがって、針形状の無線暗号フィル装置と磁性通信手段から構成される無線暗号フィルシステムを示す図である。
【図８】本発明の実施形態にしたがって、針形状の無線暗号フィル装置とバーコード通信手段から構成される無線暗号フィルシステムを示す図である。
【図９】本発明の実施形態にしたがって、ホストプロセッサに暗号フィル装置から暗号キーを無線で提供するためのプロセスのフロー図である。
【符号の説明】
【００２８】
２０    無線暗号フィルシステム
２２    無線暗号フィル装置
２４    ホストポーション
２６    ホストプロセッサ
２７    メモリ
２８    無線通信手段
２８−ｏｐｔ    光通信手段
２８−ｃａｐ    容量通信手段
２８−ｉｎｄ    誘導通信手段
２８−ｒｆ      超音波通信手段
２８−ｍａｇ    磁気通信手段
２８−ｂｃ      バーコード通信手段    
２９    無線信号
３０    無線暗号フィルシステム
３４    フィル装置送信部／受信部
３４Ｔ    光送信素子
３４Ｒ    光受信素子
３６    ホストポーション送信部／受信部
３６Ｔ    光送信素子
３６Ｒ    光受信素子
３８    シュラウド
４０    無線暗号フィルシステム
４４    送信部／受信部
４４Ｒ／Ｔ    誘導送信／受信素子
４６    ホストポーション送信部／受信部
４６Ｒ／Ｔ    誘導送信／受信素子
４７    窓
４８    シュラウド
４９    カバー
５０    無線暗号フィルシステム
５４    フィル送信部／受信部
５４Ｒ／Ｔ    容量送信／受信素子
５６    ホストポーション送信部／受信部
５６Ｒ／Ｔ    ホストポーション送信部／受信部
５８    シュラウド
６０    無線暗号フィルシステム
５４    送信部／受信部
６４Ｒ／Ｔ    超音波送信／受信素子
６６    ホストポーション送信部／受信部
６６Ｒ／Ｔ    超音波送信部／受信部
６８    シュラウド
７０    無線暗号フィルシステム
７２    矢印
７４    送信部／受信部
７４Ｒ／Ｔ    送信／受信素子
７６    送信部／受信部
７６Ｒ／Ｔ    送信部／受信部
７８    矢印
８０    無線暗号フィルシステム
８２    矢印
８４    送信部
８６    受信部
８８    矢印
９０    ロードプロセッサに近接するキーフィル装置のフィル装置を位置付けする段階
９２    フィル装置を無線でロード（提供および記憶）する段階
９４    ホストプロセッサ（ホストポーション）に近接するフィル装置を位置付ける段階
９６    フィル装置／ホストプロセッサを動作する段階
９８    フィル装置とキーポーション戸の間の無線通信を実行する段階
９９    通信を完了する段階
【図１】
2004166281.tif 000003
【図２】
2004166281.tif 000004
【図３】
2004166281.tif 000005
【図４】
2004166281.tif 000006
【図５】
2004166281.tif 000007
【図６】
2004166281.tif 000008
【図７】
2004166281.tif 000009
【図８】
2004166281.tif 000010
【図９】
2004166281.tif 000011